【手続補正書】
【提出日】平成19年1月31日(2007.1.31)
【手続補正１】
【補正対象書類名】明細書
【補正対象項目名】発明の名称
【補正方法】変更
【補正の内容】
【発明の名称】空気調和装置
【手続補正２】
【補正対象書類名】明細書
【補正対象項目名】特許請求の範囲
【補正方法】変更
【補正の内容】
【特許請求の範囲】
【請求項１】
圧縮機と熱源機側交換機と四方弁と洗浄運転の終了情報を記憶する終了情報保持部を有する熱源機制御器とを備え配管を介して室内機に接続する熱源機、
流入した冷媒の異物を捕捉する異物捕捉手段と洗浄装置制御器とを有し、上記配管に設けられた洗浄装置を備えた空気調和装置であって、
上記熱源機制御器および上記洗浄装置制御器は、外部から洗浄運転開始の指示を与えられると上記冷媒を上記洗浄装置に流入させる洗浄運転を行ない、
上記熱源機制御器は、上記終了情報保持部に上記終了情報が保持されていない場合には通常の冷暖房運転を禁止することを特徴とする空気調和装置。
【請求項２】
圧縮機と熱源機側交換機と四方弁と洗浄運転の終了情報を記憶する終了情報保持部を有する熱源機制御器とを備え配管を介して室内機に接続する熱源機、
流入した冷媒の異物を捕捉する異物捕捉手段と洗浄装置制御器とを有し、上記配管に設けられた洗浄装置を備えた空気調和装置であって、
上記熱源機制御器および上記洗浄装置制御器は、外部から洗浄運転開始の指示を与えられると上記冷媒を上記洗浄装置に流入させる洗浄運転を行ない、
上記熱源機制御器は、上記終了情報保持部に上記終了情報が保持されていない場合には上記圧縮機の運転を禁止することを特徴とする空気調和装置。
【請求項３】
終了情報保持部は不揮発性メモリからなり、熱源機制御器は洗浄運転の実施による異物捕捉動作の終了後に終了情報を上記終了情報保持部に保持させることを特徴とする請求項１または請求項２記載の空気調和装置。
【請求項４】
熱源機または洗浄装置の運転状況をパソコンに出力するための入出力部を備えた請求項１または請求項２記載の空気調和装置。
【請求項５】
ＬＡＮを介してパソコンに接続し、信号の入出力を上記パソコンと行なうことを特徴とする請求項１または請求項２記載の空気調和装置。
【手続補正３】
【補正対象書類名】明細書
【補正対象項目名】０００１
【補正方法】変更
【補正の内容】
【０００１】
【発明の属する技術分野】
この発明は、空気調和装置、特に既設の配管等を再利用しながら冷凍機油等が異なる圧縮機・熱源機、室内機への交換を実施する際に異物を除去する空気調和装置に関するものである。
【手続補正４】
【補正対象書類名】明細書
【補正対象項目名】００１１
【補正方法】変更
【補正の内容】
【００１１】
【課題を解決するための手段】
この発明に係る空気調和装置は、圧縮機と熱源機側交換機と四方弁と洗浄運転の終了情報を記憶する終了情報保持部を有する熱源機制御器とを備え配管を介して室内機に接続する熱源機、流入した冷媒の異物を捕捉する異物捕捉手段と洗浄装置制御器とを有し、上記配管に設けられた洗浄装置を備えた空気調和装置であって、上記熱源機制御器および上記洗浄装置制御器は、外部から洗浄運転開始の指示を与えられると上記冷媒を上記洗浄装置に流入させる洗浄運転を行ない、上記熱源機制御器は、上記終了情報保持部に上記終了情報が保持されていない場合には通常の冷暖房運転を禁止するものである。
【手続補正５】
【補正対象書類名】明細書
【補正対象項目名】００１２
【補正方法】変更
【補正の内容】
【００１２】
この発明に係る空気調和装置は、また、圧縮機と熱源機側交換機と四方弁と洗浄運転の終了情報を記憶する終了情報保持部を有する熱源機制御器とを備え配管を介して室内機に接続する熱源機、流入した冷媒の異物を捕捉する異物捕捉手段と洗浄装置制御器とを有し、上記配管に設けられた洗浄装置を備えた空気調和装置であって、上記熱源機制御器および上記洗浄装置制御器は、外部から洗浄運転開始の指示を与えられると上記冷媒を上記洗浄装置に流入させる洗浄運転を行ない、上記熱源機制御器は、上記終了情報保持部に上記終了情報が保持されていない場合には上記圧縮機の運転を禁止するものである。
【手続補正６】
【補正対象書類名】明細書
【補正対象項目名】００１３
【補正方法】変更
【補正の内容】
【００１３】
この発明に係る空気調和装置は、また、終了情報保持部は不揮発性メモリからなり、熱源機制御器は洗浄運転の実施による異物捕捉動作の終了後に終了情報を上記終了情報保持部に保持させるものである。
【手続補正７】
【補正対象書類名】明細書
【補正対象項目名】００１４
【補正方法】変更
【補正の内容】
【００１４】
この発明に係る空気調和装置は、また、熱源機または洗浄装置の運転状況をパソコンに出力するための入出力部を備えたものである。
【手続補正８】
【補正対象書類名】明細書
【補正対象項目名】００１５
【補正方法】変更
【補正の内容】
【００１５】
この発明に係る空気調和装置は、また、ＬＡＮを介してパソコンに接続し、信号の入出力を上記パソコンと行なうものである。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００５２
【補正方法】変更
【補正の内容】
【００５２】
【発明の効果】
この発明に係る空気調和装置は、圧縮機と熱源機側交換機と四方弁と洗浄運転の終了情報を記憶する終了情報保持部を有する熱源機制御器とを備え配管を介して室内機に接続する熱源機、流入した冷媒の異物を捕捉する異物捕捉手段と洗浄装置制御器とを有し、上記配管に設けられた洗浄装置を備えた空気調和装置であって、上記熱源機制御器および上記洗浄装置制御器は、外部から洗浄運転開始の指示を与えられると上記冷媒を上記洗浄装置に流入させる洗浄運転を行ない、上記熱源機制御器は、上記終了情報保持部に上記終了情報が保持されていない場合には通常の冷暖房運転を禁止するようにされているため、既設の配管等を再利用しながら冷凍機油等が異なる圧縮機、熱源機への交換を実施する際に、洗浄運転を行なって配管内の異物を捕捉することができる他、少ない制御機器で洗浄運転を実施することができる。
【手続補正１６】
【補正対象書類名】明細書
【補正対象項目名】００５３
【補正方法】変更
【補正の内容】
【００５３】
この発明に係る空気調和装置は、また、圧縮機と熱源機側交換機と四方弁と洗浄運転の終了情報を記憶する終了情報保持部を有する熱源機制御器とを備え配管を介して室内機に接続する熱源機、流入した冷媒の異物を捕捉する異物捕捉手段と洗浄装置制御器とを有し、上記配管に設けられた洗浄装置を備えた空気調和装置であって、上記熱源機制御器および上記洗浄装置制御器は、外部から洗浄運転開始の指示を与えられると上記冷媒を上記洗浄装置に流入させる洗浄運転を行ない、上記熱源機制御器は、上記終了情報保持部に上記終了情報が保持されていない場合には上記圧縮機の運転を禁止するようにされているため、洗浄装置制御器が各制御器を操作する結果、一度運転を開始した後は一切人手が不要となり、作業効率が向上する。
【手続補正１７】
【補正対象書類名】明細書
【補正対象項目名】００５４
【補正方法】削除
【補正の内容】
【手続補正１８】
【補正対象書類名】明細書
【補正対象項目名】００５５
【補正方法】変更
【補正の内容】
【００５５】
この発明に係る空気調和装置は、また、熱源機制御器に、不揮発性メモリ等からなる終了情報保持部を設け、洗浄運転の実施による異物捕捉動作の終了後に、終了情報を終了情報保持部に保持させるようにしたため、洗浄運転の正常終了前に通常の冷暖制御運転をすることを防止し、機器の損傷を防止することができる。